(57)【要約】  【課題】  ライブ中継をより簡易に実現するライブ配信システムを提供する。  【解決手段】  ライブ配信システム１では、複数の携帯端末７それぞれが、被写体を撮影し、撮影された撮影画像をテレビ電話回線で動画提供システム１０に送信する。動画提供システム１０は、テレビ電話回線で受信した複数の撮影画像をクライアント端末８に配信し、これらの撮影画像に対する編集操作をインターネット経由で受け付ける。動画提供システム１０は、クライアント端末８から受け付けた編集操作に応じて、携帯端末７から受信した撮影画像を編集しストリーミング配信する。【選択図】図１
2009267999.tif 000002
【特許請求の範囲】
【請求項１】
撮影された動画像のデータを、撮影と並行して受信する中継画像受信手段と、
前記中継画像受信手段により受信された動画像データをクライアント端末のウェブブラウザに表示させて、表示された動画像に対する編集操作を受け付ける編集操作受付手段と、
前記編集操作受付手段により受け付けられた編集操作に応じて、前記中継画像受信手段により受信された動画像データを編集する編集手段と、
前記編集手段により編集された動画像データを、ストリーミング配信する配信手段と
を有するライブ配信システム。
【請求項２】
テレビ電話機能を有する複数の携帯端末
をさらに有し、
前記中継画像受信手段は、複数の前記携帯端末により並行して撮影された複数の動画像データを受信し、
前記編集操作受付手段は、前記中継画像受信手段により受信された複数の動画像を同時に表示させて、配信すべき動画像の切替え操作を前記編集操作として受け付け、
前記編集手段は、受け付けられた切替え操作に応じて、配信すべき動画像データを切り替える
請求項１に記載のライブ配信システム。
【請求項３】
前記携帯端末のテレビ電話機能を用いて、これらの携帯端末を操作する撮影者に対して、撮影指示を送信する撮影指示送信手段
をさらに有する請求項２に記載のライブ配信システム。
【請求項４】
前記中継画像受信手段は、複数の撮影装置から並行して複数の動画像データを受信し、
前記配信手段は、前記撮影装置それぞれから受信した動画像のデータを、これらの撮影装置それぞれの撮影位置に基づいて配列した状態で配信する
請求項１に記載のライブ配信システム。
【請求項５】
前記配信手段は、配列された複数の動画像のデータの中の一つが視聴者によって選択された場合に、選択された動画像の解像度を上げてこの視聴者に配信する
請求項４に記載のライブ配信システム。
【請求項６】
前記撮影装置それぞれから受信した動画像のデータを、タイミング及び解像度の少なくとも一方を同期させる同期手段
をさらに有し、
前記配信手段は、前記同期手段により同期された複数の動画像のデータを配列した状態で配信する
請求項４に記載のライブ配信システム。
【請求項７】
前記配信手段は、前記撮影装置それぞれから受信した複数の動画像のデータを、コンピュータグラフィックスで表現された立体の表面に、これらの撮影装置それぞれの撮影位置に基づいて配置し、この立体表面に配置された状態で動画像データを配信する
請求項４に記載のライブ配信システム。
【請求項８】
複数の撮影装置それぞれで撮影された動画像のデータそれぞれを、受信する中継画像受信手段と、
各撮影装置の撮影位置に基づいて、前記中継画像受信手段により受信された動画像データそれぞれの配置を決定する配置決定手段と、
前記配置決定手段により決定された配置で、前記中継画像受信手段により受信された複数の動画像データを配列して配信する配信手段と
を有するライブ配信システム。
【請求項９】
テレビ電話機能を有する複数の携帯電話と、
前記携帯電話それぞれにより撮影された動画像のデータを、テレビ電話回線によって受信する中継画像受信手段と、
前記テレビ電話回線を用いて、前記携帯電話に対して、撮影に関する指示を送信する撮影指示手段と
を有する動画撮影システム。
【請求項１０】
少なくとも１つの撮影装置で動画像を撮影するステップと、
前記撮影装置それぞれで撮影された動画像のデータを受信するステップと、
受信された動画像データをクライアント端末のウェブブラウザに表示させて、表示された動画像に対する編集操作を受け付けるステップと、
受け付けた編集操作に応じて、受信された動画像データを編集するステップと、
編集された動画像データを、ストリーミング配信するステップと
を有する動画配信方法。
【発明の詳細な説明】
【技術分野】
【０００１】
本発明は、動画像を撮影又は配信する方法に関する。
【背景技術】
【０００２】
例えば、特許文献１には、複数のカメラにより撮影された画像情報を、ネットワークを介してクライアントに配信する画像配信システムが開示されている。
【特許文献１】特開２００２−３５４４６４号公報
【発明の開示】
【発明が解決しようとする課題】
【０００３】
本発明は、上述した背景からなされたものであり、ライブ中継をより簡易に実現するライブ配信システムを提供することを目的とする。
【課題を解決するための手段】
【０００４】
上記目的を達成するために、本発明に係るライブ配信システムは、撮影された動画像のデータを、撮影と並行して受信する中継画像受信手段と、前記中継画像受信手段により受信された動画像データをクライアント端末のウェブブラウザに表示させて、表示された動画像に対する編集操作を受け付ける編集操作受付手段と、前記編集操作受付手段により受け付けられた編集操作に応じて、前記中継画像受信手段により受信された動画像データを編集する編集手段と、前記編集手段により編集された動画像データを、ストリーミング配信する配信手段とを有する。
【０００５】
好適には、テレビ電話機能を有する複数の携帯端末をさらに有し、前記中継画像受信手段は、複数の前記携帯端末により並行して撮影された複数の動画像データを受信し、前記編集操作受付手段は、前記中継画像受信手段により受信された複数の動画像を同時に表示させて、配信すべき動画像の切替え操作を前記編集操作として受け付け、前記編集手段は、受け付けられた切替え操作に応じて、配信すべき動画像データを切り替える。
【０００６】
好適には、前記携帯端末のテレビ電話機能を用いて、これらの携帯端末を操作する撮影者に対して、撮影指示を送信する撮影指示送信手段をさらに有する。
【０００７】
好適には、前記中継画像受信手段は、複数の撮影装置から並行して複数の動画像データを受信し、前記配信手段は、前記撮影装置それぞれから受信した動画像のデータを、これらの撮影装置それぞれの撮影位置に基づいて配列した状態で配信する。
【０００８】
好適には、前記配信手段は、配列された複数の動画像のデータの中の一つが視聴者によって選択された場合に、選択された動画像の解像度を上げてこの視聴者に配信する。
【０００９】
好適には、前記撮影装置それぞれから受信した動画像のデータを、タイミング及び解像度の少なくとも一方を同期させる同期手段をさらに有し、前記配信手段は、前記同期手段により同期された複数の動画像のデータを配列した状態で配信する。
【００１０】
好適には、前記配信手段は、前記撮影装置それぞれから受信した複数の動画像のデータを、コンピュータグラフィックスで表現された立体の表面に、これらの撮影装置それぞれの撮影位置に基づいて配置し、この立体表面に配置された状態で動画像データを配信する。
【００１１】
また、本発明に係るライブ配信システムは、複数の撮影装置それぞれで撮影された動画像のデータそれぞれを、受信する中継画像受信手段と、各撮影装置の撮影位置に基づいて、前記中継画像受信手段により受信された動画像データそれぞれの配置を決定する配置決定手段と、前記配置決定手段により決定された配置で、前記中継画像受信手段により受信された複数の動画像データを配列して配信する配信手段とを有する。
【００１２】
また、本発明に係る動画撮影システムは、テレビ電話機能を有する複数の携帯電話と、前記携帯電話それぞれにより撮影された動画像のデータを、テレビ電話回線によって受信する中継画像受信手段と、前記テレビ電話回線を用いて、前記携帯電話に対して、撮影に関する指示を送信する撮影指示手段とを有する。
【００１３】
また、本発明に係る動画配信方法は、少なくとも１つの撮影装置で動画像を撮影するステップと、前記撮影装置それぞれで撮影された動画像のデータを受信するステップと、受信された動画像データをクライアント端末のウェブブラウザに表示させて、表示された動画像に対する編集操作を受け付けるステップと、受け付けた編集操作に応じて、受信された動画像データを編集するステップと、編集された動画像データを、ストリーミング配信するステップとを有する。
【発明の効果】
【００１４】
本発明によれば、ライブ中継をより簡易に実現することができる。
【発明を実施するための最良の形態】
【００１５】
［システム構成］
まず、ライブ配信システム１の全体構成を説明する。
図１は、ライブ配信システム１の構成を模式的に説明する図である。
図１に例示するように、ライブ配信システム１は、動画提供システム１０と、少なくとも１つの携帯端末７と、クライアント端末８とを有する。本例では、複数の携帯端末７（７Ａ、７Ｂ、・・・）が用意されている。また、中継画像の配信先として、複数のクライアント端末９が用意されている。
【００１６】
携帯端末７は、テレビ電話機能を有するコンピュータ端末である。本例の携帯端末７は、公衆回線網を用いてテレビ電話回線を確立する携帯電話であるが、これに限定されるものではなく、例えば、インターネット網を用いてテレビ電話機能を実現するＰＤＡやノート型コンピュータであってもよい。
【００１７】
クライアント端末８及びクライアント端末９は、インターネット網に接続可能なコンピュータ端末である。本例では、説明の便宜上、編集者が操作するコンピュータ端末をクライアント端末８とし、視聴者が操作するコンピュータ端末をクライアント端末９として区別している。
【００１８】
動画提供システム１０は、携帯端末７により撮影された動画像を、クライアント端末９に配信するコンピュータシステムである。本例の動画提供システム１０は、公衆回線網を介して、複数の携帯端末７と接続しており、インターネット網を介して、編集者のクライアント端末８、及び、視聴者のクライアント端末９と接続している。
本例の動画提供システム１０は、ウェブサーバとしての機能を有しており、クライアント端末８のウェブブラウザを介して、動画像に対する編集操作を受け付ける。
また、本例の動画提供システム１０は、ストリーミングサーバとしての機能も有しており、クライアント端末８及び９に対して、動画像をストリーミング配信する。
【００１９】
図２は、動画提供システム１０の機能構成を例示する図である。
図２に例示するように、動画提供システム１０は、回線分配部１００、編集操作受付部１１０、入力切替部１２０、ビデオキャプチャ１３０、同期部１４０、画像編集部１５０、挿入情報格納部１６０、配置決定部１７０、配信部１８０、及び撮影指示部１９０を有する。
【００２０】
動画提供システム１０において、回線分配部１００は、複数の携帯端末７それぞれで撮影された動画像信号（画像及び音声）を受信する。本例の回線分配部１００は、複数の電話回線を管理し、携帯端末７それぞれとの通信を維持する。
【００２１】
編集操作受付部１１０は、編集者のクライアント端末８から、編集操作を受け付ける。本例の編集操作受付部１１０は、クライアント端末８のウェブブラウザを介して、編集者の編集操作を受け付ける。編集操作としては、映像ソース（すなわち、回線分配部１００により受信した動画像信号）の切替え、画像又は音声の調整、及び、テロップなど（挿入情報）の挿入などがある。
【００２２】
入力切替部１２０は、編集操作受付部１１０により受け付けた映像ソースの切替操作に応じて、回線分配部１００により受信された複数の動画像信号（映像ソース）の中から、視聴者に配信する動画像信号を選択する。なお、入力切替部１２０により選択されなかった動画像信号も、編集者に配信する必要があるため、後段のビデオキャプチャ１３０に出力される。
【００２３】
ビデオキャプチャ１３０は、回線分配部１００により受信された動画像信号を、動画像データ（音声データを含む）に変換する。本例では、複数のビデオキャプチャ１３０ａ〜ｉが設けられており、これらのビデオキャプチャ１３０が、受信した複数の動画像信号を並行して処理する。
【００２４】
同期部１４０は、ビデオキャプチャ１３０から入力される複数の動画像データに対して、タイミング及び解像度の少なくとも一方を同期させる。すなわち、同期部１４０は、複数の携帯端末７それぞれにより撮影された動画像のタイミング又は解像度が互いに略一致するように、ビデオキャプチャ１３０から入力される動画像データに対して、タイミング制御、又は、解像度変換などを施す。
【００２５】
画像編集部１５０は、編集操作受付部１１０により受け付けた編集操作（画像調整操作、音声調整操作、又は、テロップ挿入操作）に応じて、同期部１４０から入力された動画像データに対して、画像処理を施す。画像編集部１５０は、例えば、画像調整操作がなされた場合に、指定された映像ソースに対応する動画像データに対して、色調整処理、解像度変換処理、又は、エッジ調整処理などを施し、テロップ挿入操作がなされた場合には、指定された映像ソースに対応する動画像データに対して、指定されたテロップの画像を重ね合わせる。
【００２６】
挿入情報格納部１６０は、撮影された動画像に挿入するための情報（挿入情報）を予め格納する。挿入情報には、例えば、テロップなどの画像データと、効果音や挿入歌などの音声データとが含まれる。
【００２７】
配置決定部１７０は、携帯端末７の撮影位置に応じて、各動画像データの配置を決定する。撮影位置とは、携帯端末７が撮影している被写体の位置、又は、携帯端末７が存在している位置である。すなわち、配置決定部１７０は、複数の携帯端末７により撮影された複数の動画像を、これらの携帯端末７の被写体を再現するように配列する。
【００２８】
配信部１８０は、画像編集部１５０から入力された動画像データをストリーミングデータに変換し、変換されたストリーミングデータを、配置決定部１７０により決定された配置で配信する。本例の配信部１８０は、携帯端末７により撮影された全動画像のストリーミングデータ（以下、ソースデータ）と、入力切替部１２０により選択された動画像のストリーミングデータ（以下、出力データ）とを編集者のクライアント端末８に配信し、視聴者のクライアント端末９に対しては、出力データのみを配信する。
【００２９】
撮影指示部１９０は、回線分配部１００により維持されている通信回線（本例では、テレビ電話回線）を用いて、携帯端末７に対して、撮影に関する指示を送信する。
【００３０】
図３は、ライブ配信システム１の全体動作（Ｓ１０）を例示するシーケンス図である。
また、図４は、編集者のクライアント端末８に表示される編集画面５を例示する図である。
図３に例示するように、ステップ１００（Ｓ１００）において、編集者のクライアント端末８は、動画提供システム１０にログインして、撮影開始指示を行う。具体的には、動画提供システム１０にログインすると、クライアント端末８のウェブブラウザには、図４に例示する編集画面５が表示される。編集者は、編集画面５の撮影指示ボタン５１０をクリックすると、撮影指示メッセージの候補が複数表示され、これらの中から、撮影開始を指示するメッセージを選択する。
ステップ１０２（Ｓ１０２）において、動画提供システム１０（回線分配部１００）は、予め携帯端末７とテレビ電話回線を確立しており、編集者のクライアント端末８から撮影開始指示を受信すると、動画提供システム１０（撮影指示部１９０）は、テレビ電話回線を介して、各携帯端末７に対して、撮影開始を指示する画像を送信する。
【００３１】
ステップ１０４（Ｓ１０４）において、各携帯端末７は、動画提供システム１０から受信した画像（撮影開始を指示する画像）を表示する。
撮影者は、携帯端末７に表示された撮影開始指示に従って、被写体の撮影を開始する。
ステップ１０６（Ｓ１０６）において、各携帯端末７は、撮影された画像及び音声（すなわち、動画像信号）を、テレビ電話回線を介して動画提供システム１０に送信する。
【００３２】
ステップ１０８（Ｓ１０８）において、動画提供システム１０は、各携帯端末７から受信した動画像信号をそのままストリーミングデータに変換し、変換されたストリーミングデータ（ソースデータ）を編集者のクライアント端末８に配信する。クライアント端末８に配信されるソースデータは、編集画面５（図４）の入力画像領域５００に、配置決定部１７０により決定された配置で配列表示される。
【００３３】
ステップ１１０（Ｓ１１０）において、編集者が所望のタイミングで番組開始を指示すると、編集者のクライアント端末８は、番組開始指示を動画提供システム１０に送信する。具体的には、編集画面５の番組開始ボタン５１２がクリックされると、クライアント端末８は、番組開始指示を動画提供システム１０に送信する。
ステップ１１２（Ｓ１１２）において、動画提供システム１０は、編集者のクライアント端末８から番組開始指示を受信すると、視聴者のクライアント端末９に対するストリーミング配信を開始する。
【００３４】
ステップ１１４（Ｓ１１４）において、編集者が所望のタイミングで映像の切替操作を行うと、編集者のクライアント端末８は、映像の切替指示を動画提供システム１０に送信する。具体的には、編集画面５（図４）の入力画像領域５００の中から、所望の撮影画像を編集者がダブルクリックすると、ダブルクリックされた撮影画像が出力画像領域５０２に表示される。この出力画像領域５０２に表示された撮影画像は、確定ボタン５０６がクリックされた後に、出力データ（すなわち、入力切替部１２０により選択された動画像信号）となる。
【００３５】
ステップ１１６（Ｓ１１６）において、動画提供システム１０（入力切替部１２０）は、編集者のクライアント端末８から、映像の切替指示を受信すると、受信した切替指示に応じて、映像ソースの切替えを行う。
ステップ１１８（Ｓ１１８）において、動画提供システム１０は、切替後の映像ソースをストリーミングデータ（出力データ）に変換し、視聴者のクライアント端末９に配信する。切替後の出力データは、編集者のクライアント端末８にも配信され、編集画面５（図４）の出力画像領域５０２に表示される。また、切替後の出力データの配信が開始されると、編集画面５の入力画像領域５００において、この出力データに対応する撮影画像が、選択されていない撮影画像とは異なる態様で表示される。
【００３６】
ステップ１２０（Ｓ１２０）において、編集者が所望のタイミングでテロップ（挿入情報）の挿入操作を行うと、編集者のクライアント端末８は、テロップ（挿入情報）の挿入指示を動画提供システム１０に送信する。具体的には、編集画面５（図４）の挿入候補領域５０４に挿入情報のアイコン（テロップのサムネイル画像など）が候補として表示されており、これらの中から、所望の挿入情報のアイコンを編集者が出力画像領域５０２の所望位置までドラッグ・アンド・ドロップすると、ドラッグされたアイコンが出力画像領域５０２のドロップ位置に移動する。この出力画像領域５０２に移動したアイコンに関連付けられた挿入情報（テロップなど）は、確定ボタン５０６がクリックされた後に、撮影画像（出力データ）に重ね合わせる挿入情報（テロップ）として確定する。
【００３７】
ステップ１２２（Ｓ１２２）において、動画提供システム１０（画像編集部１２０）は、編集者のクライアント端末８から、テロップ（挿入情報）の挿入指示を受信すると、受信した挿入指示に応じて、指定されたテロップ（挿入情報）を挿入情報格納部１６０から読み出し、読み出されたテロップを、指定された動画像データに重畳する。
ステップ１２４（Ｓ１２４）において、動画提供システム１０は、テロップ重畳後の動画像データをストリーミングデータ（出力データ）に変換し、視聴者のクライアント端末９に配信する。
【００３８】
ステップ１２６（Ｓ１２６）において、編集者が所望のタイミングで番組終了を指示すると、編集者のクライアント端末８は、番組終了指示を動画提供システム１０に送信する。具体的には、編集画面５（図４）の番組終了ボタン５１４がクリックされると、クライアント端末８は、番組開始指示を動画提供システム１０に送信する。
ステップ１２８（Ｓ１２８）において、動画提供システム１０は、編集者のクライアント端末８から番組終了指示を受信すると、視聴者のクライアント端末９に対するストリーミング配信を停止する。
ステップ１３０（Ｓ１３０）において、動画提供システム１０は、ストリーミングの配信を停止すると、番組が終了した旨のメッセージを視聴者のクライアント端末９に表示させる。
【００３９】
ステップ１３２（Ｓ１３２）において、動画提供システム１０（撮影指示部１９０）は、テレビ電話回線を介して、各携帯端末７に対して、撮影終了を指示する画像を送信する。
各携帯端末７は、動画提供システム１０から受信した画像（撮影終了を指示する画像）を表示する。撮影者は、携帯端末７に表示された撮影終了指示に従って、被写体の撮影を終了する。
【００４０】
なお、上記シーケンス図では、編集操作として、映像ソースの切替えと、テロップの挿入とを行う形態を具体例として説明したが、他の編集操作を行うことも可能である。例えば、編集画面５（図４）の入力画像領域５００において、各撮影画像上で右クリックすると、解像度調整、色調整及び音量調整などの調整メニューが表示される。編集者は、これらのメニューの中から所望の調整メニューを選択し、調整量を指定することにより、所望のタイミングで、それぞれの映像ソース（動画像データ）に対して、解像度調整、色調整又は音量調整を行うことができる。
また、編集操作（映像ソースの入替え、テロップの挿入、音量調整など）の確定は、確定ボタン５０６のクリックが条件となっている。したがって、編集者は、確定ボタン５０６をクリックするまでの間、出力画像領域５０２において編集結果のプレビューを見ることができ、編集結果が意に沿わない場合などには、戻すボタン５０８をクリックすることにより、編集操作をキャンセルすることができる。
【００４１】
また、編集者は、編集画面５（図４）の入力画像領域５００を見て、各携帯端末７の映像ソースを確認することができ、撮影者に対して指示を送りたい場合には、撮影指示ボタン５１０をクリックして、いずれかの携帯端末７に対して、撮影指示メッセージ（例えば、画角の調整、撮影位置の変更など）を送信することができる。
【００４２】
図５は、動画提供システム１０の動作をより詳細に説明するフローチャートである。なお、本フローチャートでは、説明の便宜上、各ステップが直列に記載されているが、実際には、各ステップの処理が並行して実施されている。
図５に示すように、ステップ２００（Ｓ２００）において、動画提供システム１０の回線分配部１００は、テレビ電話回線を介して、各携帯端末７から動画像信号（テレビ電話信号）を受信すると、受信した動画像信号をその携帯端末に対応付けて入力切替部１２０に出力する。なお、動画像信号の受信も、携帯端末７による撮影と並行して実施される。
【００４３】
ステップ２０５（Ｓ２０５）において、入力切替部１２０は、回線分配部１００から入力された複数の動画像信号それぞれを、ソースデータ用のビデオキャプチャ１３０に出力すると共に、選択された動画像信号を、出力データ用のビデオキャプチャ１３０に出力する。
各ビデオキャプチャ１３０は、入力切替部１２０から入力された動画像信号を動画像データに変換し、変換された各動画像データを同期部１４０に出力する。本例の動画像データとは、コンピュータで処理可能なデジタル形式の動画像データ及び音声データである。
【００４４】
ステップ２１０（Ｓ２１０）において、同期部１４０は、ビデオキャプチャ１３０から入力された動画像データに、出力データ用の動画像データ（すなわち、出力データ用のビデオキャプチャ１３０から出力された動画像データ）が複数含まれている場合に、これらの動画像データに対して同期処理を施し、同期処理が施された動画像データを画像編集部１５０に出力する。本例の同期部１３０は、出力データ用の動画像データのタイミング及び解像度を揃える。
なお、入力データ用の動画像データは、そのまま画像編集部１５０に出力される。
【００４５】
ステップ２１５（Ｓ２１５）において、画像編集部１５０は、編集操作受付部１１０により受け付けた編集操作に応じて、同期部１４０から入力された動画像データのうち、指定された動画像データに対して、指定された編集処理を施し、画像処理が施された動画像データを配信部１８０に出力する。
なお、編集処理が指示されていない動画像データは、そのまま配信部１８０に出力される。
【００４６】
ステップ２２０（Ｓ２２０）において、配信部１８０は、画像編集部１５０から入力された動画像データそれぞれをエンコードして、ストリーミングデータを生成する。生成されるストリーミングデータには、ソースデータ（入力データ用のストリーミングデータ）と、出力データ（出力データ用のストリーミングデータ）とが含まれている。
ステップ２２５（Ｓ２２５）において、配信部１８０は、配置決定部１７０により決定された配置に従って、生成されたストリーミングデータを配列する。ストリーミングデータは、例えば、図４に例示するように、ソースデータ群と、出力データ群とで分類され、各分類で配列される。
【００４７】
ステップ２３０（Ｓ２３０）において、配信部１８０は、ソースデータ及び出力データを編集者のクライアント端末８に配信し、出力データを視聴者のクライアント端末９に配信する。
ステップ２４０（Ｓ２４０）において、動画提供システム１０は、番組終了の指示があるまで、上記Ｓ２００〜Ｓ２３０の各処理を並行して実施し、番組終了の指示がなされると、処理を終了する。
【００４８】
図６は、視聴者に対して提供されるインタラクティブ配信機能を説明する図である。
動画提供システム１０は、出力データが複数存在する場合に、インタラクティブ配信機能を視聴者のクライアント端末９に提供する。
具体的には、複数の携帯端末７が、図６（Ａ）に例示するように、被写体の異なる領域をそれぞれ撮影している場合に、動画提供システム１０は、図６（Ｂ）に例示するように、各携帯端末７の撮影位置に応じて、これらの携帯端末７で撮影された撮影画像（出力データ）を配列する（モザイク表示）。これにより、各携帯端末７の画角が狭くても、被写体を広い範囲で視聴することが可能になる。
また、モザイク表示で配列された各撮影画像は、視聴者のクライアント端末９において選択可能になっており、視聴者がいずれかの撮影画像を選択すると、動画提供システム１０は、選択された撮影画像を拡大し、図６（Ｃ）に例示するように、拡大された撮影画像のみをこのクライアント端末９に配信する。これにより、各視聴者が所望の被写体領域を選んで視聴することができる。
なお、本図では、各撮影画像が隣の撮影画像と連続的につながっているが、必ずしも全ての撮影画像が互いに連続するとは限らない。
【００４９】
図７は、撮影指示部１９０（図２）をより詳細に説明する図である。
図７に例示するように、撮影指示部１９０は、指示画像生成部１９２、指示画像撮影部１９４、及び、撮影画像送信部１９６を含む。
指示画像生成部１９２は、編集者の指示内容を表わす画像を生成する。例えば、指示画像生成部１９２は、編集者のクライアント端末８から受信したテキストデータに基づいて、文字列を表示するモニタである。
指示画像撮影部１９４は、指示画像生成部１９２により生成された画像を撮影する。例えば、指示画像撮影部１９４は、携帯電話に設けられたカメラであり、指示画像生成部１９２に表示された文字列を撮影する。
撮影画像送信部１９６は、指示画像撮影部１９４により撮影された画像を、撮影者の携帯端末７に送信する。例えば、撮影画像送信部１９６は、テレビ電話回線を用いて、指示画像撮影部１９４により撮影された画像を携帯端末７に送信する。
【００５０】
なお、指示画像撮影部１９４及び撮影画像送信部１９６は、携帯電話に設けられたテレビ電話機能の一部であってもよい。すなわち、撮影画像送信部１９６は、撮影者の携帯端末７が撮影画像を送信するテレビ電話回線を用いて、撮影の指示内容を表わす画像を送信する。また、撮影指示部１９０は、同一のテレビ電話回線を用いて、音声により撮影指示を伝えてもよいが、ハウリングの発生などを勘案すると、本例のように、画像により撮影指示を伝える方が望ましい。
【００５１】
以上説明したように、本実施形態のライブ配信システム１によれば、比較的調達しやすい機器（携帯電話など）を用いて、ライブ中継を実現することができる。
また、本実施形態では、動画提供システム１０がインターネット経由で編集操作を受け付けるため、編集機材の運搬又は編集者の移動が不要になる。さらには、編集機材のボタン操作がウェブブラウザ上のマウス操作又はキー入力操作に置き換えられるため、編集操作そのものが簡易になる。
【００５２】
［変形例］
次に、上記実施形態の変形例を説明する。
図８は、図６に例示したインタラクティブ配信機能の変形例を説明する図である。
図８（Ａ）に例示するように、被写体を囲むように複数の携帯端末７が配置され、これらの携帯端末７が被写体を異なる方向から撮影する場合には、動画提供システム１０（配信部１８０）は、図８（Ｂ）に例示するように、コンピュータグラフィックスで表現された立体（本例では、多面体）の表面に、各携帯端末７で撮影された撮影画像を配置して、視聴者のクライアント端末９に配信してもよい。コンピュータグラフィックスで表現される立体（以下、モザイク表示体）の形状は、被写体となる空間の形状に類似することが望ましい。また、各撮影画像の配置は、各携帯端末７の撮影位置に基づいて配置決定部１７０により決定される。
図８（Ｂ）に例示するモザイク表示体は、視聴者の指示に応じて、回転させることができる。すなわち、視聴者は、クライアント端末９に表示されたモザイク表示体を回転させることにより、被写体空間を所望の方向からモザイク表示させることができる。例えば、図８（Ｂ）のモザイク表示体を図中の回転軸で１８０度回転させると、図８（Ｃ）に例示するモザイク表示体がクライアント端末９に表示される。これらのモザイク表示体から、所望の撮影画像が選択されると、図６（Ｃ）のように、選択された撮影画像のみが拡大表示される。
【図面の簡単な説明】
【００５３】
【図１】ライブ配信システム１の構成を模式的に説明する図である。
【図２】動画提供システム１０の機能構成を例示する図である。
【図３】ライブ配信システム１の全体動作（Ｓ１０）を例示するシーケンス図である。
【図４】編集者のクライアント端末８に表示される編集画面５を例示する図である。
【図５】動画提供システム１０の動作をより詳細に説明するフローチャートである。
【図６】視聴者に対して提供されるインタラクティブ配信機能を説明する図である。
【図７】撮影指示部１９０（図２）をより詳細に説明する図である。
【図８】図６に例示したインタラクティブ配信機能の変形例を説明する図である。
【符号の説明】
【００５４】
１・・・ライブ配信システム
７・・・携帯端末
８，９・・・クライアント端末
１０・・・動画提供システム
１００・・・回線分配部
１１０・・・編集操作受付部
１２０・・・入力切替部
１３０・・・ビデオキャプチャ
１４０・・・同期部
１５０・・・画像編集部
１６０・・・挿入情報格納部
１７０・・・配置決定部
１８０・・・配信部
１９０・・・撮影指示部
【図１】
2009267999.tif 000003
【図２】
2009267999.tif 000004
【図３】
2009267999.tif 000005
【図４】
2009267999.tif 000006
【図５】
2009267999.tif 000007
【図６】
2009267999.tif 000008
【図７】
2009267999.tif 000009
【図８】
2009267999.tif 000010